(57)【要約】【課題】パネル部材を室内の側壁間に亘って容易に設置できる間仕切り用パネル支持具及び移動式間仕切りを提供する。【解決手段】本発明の間仕切り用パネル支持具１５は、室内Ｒの側壁面Ｗ，Ｗ間に亘って設置するパネル部材２の側端部２ｓの両偏平面２ｅ，２ｅの少なくともいずれか一方に対向配置させる第１の支持面と、少なくともパネル部材２の偏平面２ｅから離間する方向に延び、室内Ｒの側壁面Ｗに対向配置させる第２の支持面とを有し、パネル部材２の側端部２ｓに第１の支持面を当てるとともに、室内Ｒの側壁面Ｗに第２の支持面を配してパネル部材２を支持する支持部材３と、支持部材３の上端面又は下端面に設けられ、支持部材３の移動を規制する固定部材４を備えている。【選択図】図１
2019138037.tif 000002
【特許請求の範囲】
【請求項１】
室内の側壁面間に亘って設置するパネル部材の側端部の両偏平面の少なくともいずれか一方に対向配置させる第１の支持面と、少なくとも前記パネル部材の前記偏平面から離間する方向に延び、前記室内の前記側壁面に対向配置させる第２の支持面とを有し、前記パネル部材の前記側端部に前記第１の支持面を当てるとともに、前記室内の前記側壁面に前記第２の支持面を配して前記パネル部材を支持する支持部材と、
前記支持部材の上端面及び／又は下端面に設けられ、前記支持部材の移動を規制する固定部材とを備えた間仕切りパネル用支持具。
【請求項２】
前記支持部材は、前記パネル部材の前記側端部に着脱自在に固定される請求項１に記載の間仕切りパネル用支持具。
【請求項３】
前記支持部材は、前記第１の支持面を前記パネル部材の前記側端部の上端から下端に亘って配して前記パネル部材を支持する請求項１又は２に記載の間仕切りパネル用支持具。
【請求項４】
前記支持部材は、前記パネル部材の前記側端部の少なくとも下部に取り付けられるものであり、前記支持部材の下端面から突出するキャスターを有している請求項１から３のいずれか一項に記載の間仕切りパネル用支持具。
【請求項５】
前記固定部材は、前記キャスターを挟み込んで動きを止める部材である請求項４に記載の間仕切りパネル用支持具。
【請求項６】
前記支持部材は、前記パネル部材の前記側端部の少なくとも上部に取り付けられるものであり、
前記固定部材は、前記支持部材の上端面から突出及び収納自在に設けられ、天井に密着可能である請求項１から３のいずれか一項に記載の間仕切りパネル用支持具。
【請求項７】
請求項１から６のいずれか一項に記載の間仕切り用パネル支持具と、
室内の側壁面間に亘って設置されるパネル部材とを有した移動式間仕切り。
【請求項８】
前記パネル部材の端面には、前記側壁面間に設置された際に、前記側壁面、床面及び天井の少なくともいずれかとの隙間を小さくする圧着部材が設けられている請求項７に記載の移動式間仕切り。
【発明の詳細な説明】
【技術分野】
【０００１】
本発明は、間仕切りパネル用支持具及び移動式間仕切りに関する。
【背景技術】
【０００２】
部屋の側壁面間に亘ってパネルを配置し、室内空間を区切る様々な間仕切りが知られている（例えば下記特許文献１）。
特許文献１等の従来の間仕切りは、天井や床にレールを施工したり、固定部材を打ち付けたりしてパネルを立設した状態で保持していた。
【先行技術文献】
【特許文献】
【０００３】
【特許文献１】特開２０１７−８６４１７号公報
【発明の概要】
【発明が解決しようとする課題】
【０００４】
従来の間仕切りは、レールの設置や固定部材の打ち付け等のために業者による大掛かりな設置工事を要していた。
そこで本発明は、パネル部材を室内の側壁面間に亘って容易に設置し、移動できる間仕切りパネル用支持具及び移動式間仕切りを提供する。
【課題を解決するための手段】
【０００５】
本発明の間仕切りパネル用支持具は、室内の側壁面間に亘って設置するパネル部材の側端部の両偏平面の少なくともいずれか一方に対向配置させる第１の支持面と、少なくとも前記パネル部材の前記偏平面から離間する方向に延び、前記室内の前記側壁面に対向配置させる第２の支持面とを有し、前記パネル部材の前記側端部に前記第１の支持面を当てるとともに、前記室内の前記側壁面に前記第２の支持面を配して前記パネル部材を支持する支持部材と、前記支持部材の上端面及び／又は下端面に設けられ、前記支持部材の移動を規制する固定部材とを備えている。
この構成によれば、支持部材と室内の側壁面とによりパネル部材を異なる角度から支持できるため、パネル部材をシンプルな部材で安定的に立設及び固定することができる。
【０００６】
本発明の間仕切りパネル用支持具の前記支持部材は、前記パネル部材の前記側端部に着脱自在に固定されていてもよい。
この構成によれば、パネル部材及び支持部材を分けて容易に搬入し又は収納することが可能となる。また、この構成によれば、板状のパネルであればどのようなものであっても容易に立設することができる。
【０００７】
本発明の間仕切りパネル用支持具の前記支持部材は、前記第１の支持面を前記パネル部材の前記側端部の上端から下端に亘って配して前記パネル部材を支持するものであってもよい。
この構成によれば、より安定的かつ簡便にパネル部材を支持することができる。
【０００８】
本発明の間仕切りパネル用支持具の前記支持部材は、前記パネル部材の前記側端部の少なくとも下部に取り付けられるものであり、前記支持部材の下端面から突出するキャスターを有していてもよい。
この構成によれば、支持部材及びパネル部材の移動が容易となる。
【０００９】
本発明の間仕切りパネル用支持具の前記固定部材は、前記キャスターを挟み込んで動きを止める部材であってもよい。
この構成によれば、床面に固定具又はレール等を施工することなく、容易に支持部材の移動を規制することができる。
【００１０】
本発明の間仕切りパネル用支持具の前記支持部材は、前記パネル部材の前記側端部の少なくとも上部に取り付けられるものであり、前記固定部材は、前記支持部材の上端面から突出及び収納自在に設けられ、天井に密着可能であってもよい。
この構成によれば、天井に固定具等を施工することなく、容易に支持部材の移動を規制することができる。
【００１１】
本発明の移動式間仕切りは、前記いずれか一に記載の間仕切り用パネル支持具と、室内の側壁面間に亘って設置されるパネル部材とを有している。
この構成によれば、上記いずれかの作用及び機能を奏する。
【００１２】
本発明の移動式間仕切りの前記パネル部材の端面には、前記側壁面間に設置された際に、前記側壁面、床面及び天井の少なくともいずれかとの隙間を小さくする圧着部材が設けられていてもよい。
この構成によれば、区画した室内の密閉性を高めることができる。
【発明の効果】
【００１３】
本発明の移動式間仕切りは、天井、側壁面、床面に傷を付けることを防止しつつ容易に設置することができるという効果を奏する。
【図面の簡単な説明】
【００１４】
【図１】本発明の一実施形態の移動式間仕切りを概略的に示す斜視図である。
【図２】図１をＹ−Ｙ線で矢視した一部断面図である。
【図３】本発明の一実施形態の移動式間仕切りの設置状態の一部を示す斜視図である。
【図４】（ａ）本発明の一実施形態の間仕切りパネル用支持具の支持部材の下部を示す側面図である。（ｂ）本発明の一実施形態の間仕切りパネル用支持具の支持部材の下部を示す正面図である。
【図５】（ａ）本発明の一実施形態の間仕切りパネル用支持具の支持部材の動きを固定部材により規制した状態を示す上面図である。（ｂ）本発明の一実施形態の間仕切りパネル用支持具の固定部材を示す側面図である。（ｃ）本発明の一実施形態の間仕切りパネル用支持具の固定部材を示す上面図である。
【図６】本発明の一実施形態の移動式間仕切りの他の例を概略的に示す斜視図である。
【図７】図１をＹ−Ｙ線で矢視したパネル部材の他の例を示した一部断面図である。
【発明を実施するための形態】
【００１５】
以下、図を参照して本発明の間仕切りパネル用支持具及びこの間仕切りパネル用支持具を備えた移動式間仕切りの実施形態について説明する。
【００１６】
図１に示すように、本発明の移動式間仕切り１は、室内Ｒの側壁面Ｗ，Ｗ間に亘って配置するパネル部材２と、パネル部材２の両側端部２ｓを挟みこんでパネル部材２を支持する支持部材３と、支持部材３を天井Ｃ又は床面Ｆに固定する固定部材４，８（固定部材８は、図４参照）とを備えている。
【００１７】
パネル部材２は、特に限定されないが、木材、鋼材、アルミ形材又は樹脂形材などからなる骨枠部材と、グラスウール、ロックウール、ペーパーコア、ゴムシートなどとを組み合わせた略中実の芯材の表面に、木合板、鋼板、樹脂ボード、ケイ酸カルシウム板などの表面材を貼り合わせて形成されたものを好適に用いることができる。芯材は、骨枠部材のみからなる略中空のものであってもよい。このパネル部材２は、厚さのある偏平な板状の分割パネル２ａを複数連結させて１枚に形成されている。
分割パネル２ａは、略矩形に形成されている。
分割パネル２ａの側端面２ｄには、分割パネル２ａ同士を連結自在とする不図示の連結手段が設けられている。パネル部材２は、室内Ｒの対向する側壁面Ｗ，Ｗ同士の間に亘って立設される。
【００１８】
図２に示すように、分割パネル２ａの下端面２ｃの一方の偏平面２ｅ寄りには、キャスター５が取り付けられている。キャスター５は、パネル部材２の厚さ方向に回転する向きに設けられている。なお、キャスター５は、パネル部材２の厚さ方向や幅方向に回転の向きを自在に変化できるものでもよい。
図１又は図２に示すように、パネル部材２の両側端面及び上下端面には、室内Ｒの側壁面Ｗ、天井Ｃ及び床面Ｆとの隙間を極力小さくして密閉性を高める圧着部材６が配されている。
圧着部材６は、パネル部材２の各端面の長手方向に沿って略連続的に設けられている。
【００１９】
圧着部材６は、例えば、内部に気体等の流動体を収容し、流動体の体積の増減により、パネル部材２の各端面から天井Ｃ、側壁面Ｗ及び床面Ｆに向かって伸長及び収縮自在になるチューブ型の部材であってもよい。
なお、パネル部材２の下端面２ｃの厚さ方向の一方の偏平面２ｅ寄りにキャスター５が設けられているため、少なくともパネル部材２の下端面２ｃに配される圧着部材６は、パネル部材２の厚さ方向の他方の偏平面２ｅ寄りに設けられている。
【００２０】
図１に示すように、支持部材３は、パネル部材２の上下端に亘って延びる長尺で偏平な板状の部材である。
図３に示すように、支持部材３は、略直方体形状で偏平な板状に形成されている。支持部材３は、パネル部材２の側端部２ｓの偏平面２ｅに対向配置させる第１の支持面３Ａと、少なくともパネル部材２の偏平面２ｅから離間する方向に延び、室内Ｒの側壁面Ｗに対向配置させる第２の支持面３Ｂとを有している。
【００２１】
第１の支持面３Ａは、偏平な板状の部材の側端面、すなわち支持部材３の長手方向に延びる端面からなっている。第１の支持面３Ａは、図１に示すように、パネル部材２の上下端に亘ってパネル部材２の両側端部２ｓ，２ｓの両偏平面２ｅ，２ｅに配される。なお、ここで「配される」とは、ごく僅かな隙間を持って又はぴったりと密着するように「当てられる」ことを意味する。
【００２２】
図３に示すように、第２の支持面３Ｂは、偏平な板状の部材の偏平面を形成する面からなっている。第２の支持面３Ｂは、図１に示す室内Ｒの側壁面Ｗと略接するように対向配置される。第２の支持面３Ｂには、室内Ｒの側壁面Ｗに対して円滑に摺動し、室内Ｒの側壁面Ｗに傷等を付けることを防止する樹脂又は布地等が配されていてもよい。
【００２３】
支持部材３の上端部には、支持部材３の上端面３ｔから突出させ及び支持部材３内に収納自在な上側固定部材４が設けられている。上側固定部材４は、支持部材３の上端面３ｔから突出した場合に、その先端が図１に示す天井Ｃを押し付けつつ密着して支持部材３の動きを止める。上側固定部材４には、先端に天井Ｃとの密着性を高めるゴム部材等を配したフランス落とし等を好適に用いることができる。
【００２４】
図４（ａ），（ｂ）に示すように、支持部材３の下部３ｂには、支持部材３の下端面３ｃから突出するキャスター５が設けられている。
キャスター５は、戸車５ａと、戸車５ａを支持部材３の下端面３ｃに取り付ける取付部材５ｂとを備えている。キャスター５は、パネル部材２の厚さ方向に回転する向き、すなわち第２の支持面３Ｂに沿う方向に設けられている。なお、キャスター５は、回転の向きを自在に変化できるものでもよい。  
支持部材３の下端面３ｃには、キャスター５の戸車５ａの一部を下面から突出させて収納するキャスター収納凹部７が形成されている。キャスター収納凹部７の天面７ｃにキャスター５の取付部材５ｂが取り付けられている。キャスター５は、キャスター軸５ｃを挿通させた状態で取付部材５ｂに固定されている。
【００２５】
図５（ａ）に示すように、キャスター５は、図４（ａ）に示すキャスター５の戸車５ａを側面及び戸車５ａの周面に対向させてキャスター５の動きを止めるキャスター止め（下側固定部材）８により固定される。
図５（ａ）−（ｃ）に示すように、キャスター止め８は、戸車５ａの周面を当てさせて戸車５ａの回転を防止する止め部９と、止め部９の両端から互いに平行に延び戸車５ａの両側面に配する挟持部１０とを有している。なお、止め部９は、戸車５ａの周面と対向する面が戸車５ａを受ける側に向かって傾斜した傾斜面９ａを有していてもよい。この場合、傾斜面９ａは、戸車５ａと床面Ｆとの間に止め部９の一部が挿入し得る角度で形成されている。
キャスター止め８は、ゴム部材、合成樹脂部材又はアルミなどの金属部材等により形成されている。キャスター止め８の下面８ｂは平滑に形成されている。
【００２６】
図１に示すように、支持部材３，固定部材４及び図４に示す固定部材８とは、室内Ｒの側壁面Ｗ，Ｗ間に亘って設置されるパネル部材２を立設させて固定する間仕切りパネル用支持具１５を構成している。また、パネル部材２と間仕切りパネル用支持具１５とにより移動式間仕切り１を構成している。
【００２７】
次に、本発明の移動式間仕切り１を設置する方法について説明する。
まず、支持部材３を４本用意し、パネル部材２により区画される室内Ｒの双方に２本ずつ置いておく。  
搬入した分割パネル２ａの側端面２ｄ，２ｄ同士を側端面２ｄに設けられた不図示の連結手段によって連結させ、室内Ｒの対向する側壁面Ｗ，Ｗ間に延びるパネル部材２を形成する。
【００２８】
下端面２ｃを下方にして立ち上げてパネル部材２を保持しておく。支持部材３の第２の支持面３Ｂを側壁面Ｗに向け、第１の支持面３Ａをパネル部材２の側端部２ｓの偏平面２ｅに向けて突き当てる。この状態で、上側固定部材４を突出させて天井Ｃに固定するとともに、図４（ａ）に示すようにキャスター５にキャスター止め８を嵌め込み、床面Ｆ上でキャスター５の動きを固定する。これにより、支持部材３は、上側固定部材４の天井Ｃに対する突っ張り及びキャスター止め８によるパネル部材２への押し付けにより固定される。
【００２９】
このように支持部材３と固定部材４，８の設置をパネル部材２の両側端部２ｓの偏平面２ｅに行うことで移動式間仕切り１の設置が完了する。
移動式間仕切り１の設置後、室内Ｒを区分する位置を変えたい場合には、上側固定部材４を支持部材３内に収納して固定を解除し、キャスター止め８をキャスター５から取り外してキャスター５の固定を解除する。  
【００３０】
そして、支持部材３及びパネル部材２を室内Ｒを分けたい位置まで移動させて、再び上側固定部材４を天井Ｃに向けて突出させ、キャスター５にキャスター止め８を嵌めて支持部材３の上下を天井Ｃと床面Ｆにしっかりと固定する。
【００３１】
このように、本発明の間仕切りパネル用支持具１５及び移動式間仕切り１は、天井Ｃ、床面Ｆ及び側壁面Ｗにレールや固定部材４を施工することなく、極めて容易に室内Ｒに設置、移動及び取り外しをすることができるという効果を奏する。
【００３２】
そして、間仕切りパネル用支持具１５は、支持部材３が偏平な板状の部材により形成され、端面で形成された第１の支持面３Ａをパネル部材２に突き当て、偏平な第２の支持面３Ｂをパネル部材２の偏平面２ｅから離間する方向に延在させて固定されるようになっている。
したがって、支持部材３がパネル部材２の側端部２ｓに形成されたフランジのように設けられ、側壁面Ｗと共にパネル部材２を異なる角度（本実施形態では直交する方向）から支持し、安定的に固定することができる。
【００３３】
そして、パネル部材２の側端面及び支持部材３の第２の支持面３Ｂを共に室内Ｒの側壁面Ｗに当てる構成となっているため、設置した移動式間仕切り１がより安定的に保持されるという効果を奏する。
また、間仕切りパネル用支持具１５及び移動式間仕切り１は、天井Ｃ又は床面Ｆに対して摩擦力により移動を防止し得る上側固定部材４及びキャスター止め（下側固定部材）８を用いているため、天井Ｃ、床面Ｆ及び側面に傷をつけることを防止することができるという効果を奏する。
【００３４】
また、本発明の間仕切りパネル用支持具１５によれば、本発明の移動式間仕切り１に用いられるパネル部材２でなくても、室内Ｒのサイズに合うどのようなパネルでも容易に設置することができるという効果を奏する。
【００３５】
また、本発明の移動式間仕切り１は、パネル部材２に対して支持部材３及び固定部材４，８を着脱自在に設けているため、パネル部材２、支持部材３及び固定部材４，８の搬入及び設置が容易となる。また移動式間仕切り１は、分割パネル２ａ、支持部材３及び固定部材８に分けてコンパクトに収納することができるという効果を奏する。
【００３６】
なお、図３に示す第１の支持面３Ａには、パネル部材２の偏平面２ｅに着脱自在に取り付けて固定するための係止機構２０が設けられているとなおよい。この場合、図示しないが、第１の支持面３Ａを対向配置させるパネル部材２の側端部２ｓの偏平面２ｅにも第１の支持面３Ａの係止機構２０に対応する係止機構が設けられる。また、第１の支持面３Ａには、必須ではないが、パネル部材２との密着性又は密閉性を高めるための弾性部材が配されていてもよい。  
【００３７】
この場合、支持部材３は、第１の支持面３Ａにおいてパネル部材２の側端部２ｓに対し係止機構２０により固定されているため、移動式間仕切り１の移動時に、支持部材３を取り付けたパネル部材２をそのまま押すだけでパネル部材２に支持部材３を固定して立設させたまま安定的に移動式間仕切り１を移動させることができ、移動式間仕切り１の移動が極めて容易になるという効果を奏する。
【００３８】
また、上記実施形態において、支持部材３としてパネル部材２の上端から下端に連続して延びる偏平な板状の部材を用いたが、支持部材３は、図６に示すように、パネル部材２の側端部２ｓの上端部及び下端部にそれぞれ設けられる限り一体となっていなくてもよい。但し、この場合は、パネル部材２の側端部２ｓの上端部に設けられる支持部材３（以下「上側支持部材３」という）及び同下端に設けられる支持部材３（以下「下側支持部材３」という）共に、パネル部材２の側端部２ｓの偏平面２ｅに固定される図３に例示するような係止機構２０が必須となる。
【００３９】
係止機構２０の具体的な構成は、特に限定されるものではなく、不用意に外れてしまわない限り、掛止による係合関係、嵌合関係を構成、又は、取付フレームの利用など公知のどのような手段でも用いることができる。なお、上側支持部材３及び下側支持部材３は、パネル部材２の側端部２ｓに対して簡便に着脱できる手段を用いるとよい。
【００４０】
また、パネル部材２は、必ずしも両側端部２ｓ，２ｓを夫々２つの支持部材３で挟み込んで支持する必要はなく、パネル部材２の側端部２ｓの偏平面２ｅのいずれかが家具等で安定的かつ確実に支持され得るのであれば、支持部材３は、家具等で支持された以外の側端部２ｓの偏平面２ｅに設置されればよい。
【００４１】
また、上側固定部材４及び下側固定部材８は、上述した実施形態で示したものに限定されず、支持部材３のパネル部材２から離間する方向への移動を天井Ｃ及び床面Ｆとの摩擦により防止できる限りどのような部材で固定するものであってもよい。
【００４２】
パネル部材２は、室内Ｒに搬入することができる限り、必ずしも分割パネル２ａを組み合わせて形成されるものでなく一枚のパネルからなっていてもよい。
また、パネル部材２又は分割パネル２ａの下面にキャスター５を設けていない場合には、パネル部材２又は分割パネル２ａの下面に、パネル部材２を立設した状態で摺動容易とするすべりの良い部材、例えばフェルト生地やその他の樹脂材等からなるすべり材が配されているとよい。
【００４３】
上記実施形態において、圧着部材６としてチューブ型の物を例示したが、圧着部材６は、図７に示すように、ヒレゴム等により構成され、パネル部材２の端面と天井Ｃ、側壁面Ｗ及び床面Ｆとの隙間を塞ぐものであってもよい。
【００４４】
また、支持部材３は、パネル部材２の偏平面２ｅに突き当てる第１の支持面３Ａと室内の側壁面Ｗに対向させる第２の支持面３Ｂを有していれば、パネル部材２の側端面と側壁面Ｗとの間に介装されるパネル側端面受部を有していてもかまわない。
また、図示しないが、パネル部材２の側端部２ｓの偏平面２ｅには、支持部材３の第１の支持面３Ａを有する端部を嵌合させる嵌合凹所が形成されていてもよい。この構成によれば、パネル部材２に対して支持部材３の位置決めが容易になり、パネル部材２を支持部材３によりより安定的に支持することが可能となる。
【００４５】
また、支持部材３の下端面３ｃには必ずしもキャスター５が設けられていなくてもよく、キャスター５の代わりに支持部材３の摺動を容易にするすべりの良い部材、例えばフェルト生地やその他の樹脂材等からなるすべり材が配されていてもよい。
また、図示しないが、支持部材３の固定強化のために、支持部材３の下面から突出及び収納自在で床面Ｆとの摩擦で支持部材３の動きを止める固定補助部が下側固定部材８に加えて設けられていてもよい。
【００４６】
また、パネル部材２には、窓やパネル部材２により区分けされた部屋間を連通させ得るドア等を組み込む開口部が設けられていてもよい。また、パネル部材２は、単なる板材でなくとも、比較的厚さ（ないし奥行き）の大き過ぎない、物を置く棚等の家具を融合させて形成されたものであってもよい。
【符号の説明】
【００４７】
１  移動式間仕切り
２  パネル部材
２ｓ  側端部
２ｅ  側端部の偏平面
３  支持部材
３Ａ  第１の支持面
３Ｂ  第２の支持面
４  固定部材
５  キャスター
８  キャスター止め（固定部材）
６  圧着部材
Ｃ  天井
Ｆ  底面
Ｗ  側壁面
【図１】
2019138037.tif 000003
【図２】
2019138037.tif 000004
【図３】
2019138037.tif 000005
【図４】
2019138037.tif 000006
【図５】
2019138037.tif 000007
【図６】
2019138037.tif 000008
【図７】
2019138037.tif 000009